(57)【要約】【課題】枠組足場に取り付けられた枠組足場用手すり枠の高さを変えられるようにする。【解決手段】枠組足場用手すり枠は、枠組足場の建枠１００に取り外し可能に取り付けられる固定枠１と、固定枠１に対して上下にスライド可能とされた可動枠２とを備える。固定枠１は、左右一対の支柱３Ｌ、３Ｒと、一対の支柱３Ｌ、３Ｒ間に架設された上側の横桟４及び下側の横桟５とを有する。支柱３Ｌ、３Ｒは、丸パイプ材からなり、固定金具６Ｌ、６Ｒ及び取付部７Ｌ、７Ｒが設けられている。可動枠２は、固定枠１の一対の支柱３Ｌ、３Ｒにそれぞれ挿通する左右一対の縦杆部９Ｌ、９Ｒと、一対の縦杆部９Ｌ、９Ｒの上端間をつなぐ上側横杆部１０と、一対の縦杆部９Ｌ、９Ｒの下端間をつなぐ下側横杆部１１とを有し、各コーナ部分が丸みを帯びた略矩形状の環状を呈する。上側横杆部１０と下側横杆部１１との間には、補強材として４本の縦格子１３が架設される。【選択図】図１
2014224392.tif 000002
【特許請求の範囲】
【請求項１】
枠組足場に取り付けられる枠組足場用手すり枠であって、
枠組足場に取り外し可能に取り付けられる固定枠と、
前記固定枠に対して上下にスライド可能とされた可動枠とを備えたことを特徴とする枠組足場用手すり枠。
【請求項２】
前記固定枠は、パイプ材からなる左右一対の支柱と、前記一対の支柱間に架設された横桟とを有し、
前記可動枠は、前記固定枠の前記一対の支柱にそれぞれ挿通する左右一対の縦杆部と、前記一対の縦杆部の上端間をつなぐ上側横杆部と、前記一対の縦杆部の下端間をつなぐ下側横杆部とを有し、各コーナ部分が丸みを帯びた略矩形状の環状を呈することを特徴とする請求項１に記載の枠組足場用手すり枠。
【請求項３】
前記上側横杆部と前記下側横杆部との間に縦格子が架設されていることを特徴とする請求項２に記載の枠組足場用手すり枠。
【請求項４】
前記可動枠を複数の高さ位置でロックすることができるロック機構を備えたことを特徴とする請求項１乃至３のいずれか１項に記載の枠組足場用手すり枠。
【発明の詳細な説明】
【技術分野】
【０００１】
本発明は、枠組足場に取り付けられる枠組足場用手すり枠に関する。
【背景技術】
【０００２】
建設現場等で設置される枠組足場は、図８に示すように、建枠１００、足場板２００、ブレース（交差筋違）３００を用いて組み立てられる。建枠１００は、一対の脚柱１０１、１０１、及びこれらの上端部をつなぐ横架材１０２を有する門形を呈する。この建枠１００を対向させて、両建枠１００、１００の横架材１０２間に足場板２００を架け渡すとともに、両建枠１００、１００の脚柱１０１間にブレース３００を架け渡す。この形を一つのユニットとして、建物の外壁面に沿って上方向や左右方向に順次に組み立てられる。具体的には、図８に示すように、両建枠１００、１００の上部に建枠１００、１００を連結し、同様に足場板２００及びブレース３００を掛け渡すことにより、上方向に組み立てられる。また、一の建枠１００を共用とし、逆側にも建枠１００を対向させて、同様に足場板２００及びブレース３００を掛け渡すことにより、左右方向に組み立てられる。
【０００３】
このような枠組足場を組立分解する過程で、最上段の足場板２００に作業者が立って作業を行わなければならないことがある。例えば図８（ａ）の状態から図８（ｂ）に示すように上段を組み立てる場合、作業者は、図８（ａ）の状態で最上段の足場板２００に立って作業を行う必要がある。そこで、作業者の転落事故防止のために、図８（ａ）に示すように、組立分解過程の枠組足場に、枠組足場用手すり枠４００を取り付けた後、図８（ｂ）に示すように、上段の組み立て作業を行うようにしている（特許文献１等を参照）。このような枠組足場用手すり枠４００は、先行手すりとも呼ばれる。
【先行技術文献】
【特許文献】
【０００４】
【特許文献１】特開２０１１−２４７００１号公報
【発明の概要】
【発明が解決しようとする課題】
【０００５】
例えば最下段の建枠１００の脚柱１０１の下部にキャスターを設けておき、枠組足場を移動可能としたものがある。
しかしながら、枠組足場用手すり枠４００が取り付けられた枠組足場を移動させるときに、例えば天井の一部が梁等により低くなっているため枠組足場用手すり枠４００がぶつかってしまい、移動させられないという状況がありえる。その場合、枠組足場用手すり枠４００をいったん取り外してから、枠組足場を移動させなければならない。
【０００６】
本発明は上記のような点に鑑みてなされたものであり、枠組足場に取り付けられた枠組足場用手すり枠の高さを変えられるようにすることを目的とする。
【課題を解決するための手段】
【０００７】
本発明の枠組足場用手すり枠は、枠組足場に取り付けられる枠組足場用手すり枠であって、枠組足場に取り外し可能に取り付けられる固定枠と、前記固定枠に対して上下にスライド可能とされた可動枠とを備えたことを特徴とする。
また、本発明の枠組足場用手すり枠の他の特徴とするところは、前記固定枠は、パイプ材からなる左右一対の支柱と、前記一対の支柱間に架設された横桟とを有し、前記可動枠は、前記固定枠の前記一対の支柱にそれぞれ挿通する左右一対の縦杆部と、前記一対の縦杆部の上端間をつなぐ上側横杆部と、前記一対の縦杆部の下端間をつなぐ下側横杆部とを有し、各コーナ部分が丸みを帯びた略矩形状の環状を呈する点にある。前記上側横杆部と前記下側横杆部との間に縦格子が架設されるようにしてもよい。
また、本発明の枠組足場用手すり枠の他の特徴とするところは、前記可動枠を複数の高さ位置でロックすることができるロック機構を備えた点にある。
【発明の効果】
【０００８】
本発明によれば、枠組足場に取り付けられた枠組足場用手すり枠の高さを変えることができる。これにより、枠組足場用手すり枠が取り付けられた枠組足場を移動させるときに、例えば天井の一部に枠組足場用手すり枠がぶつかりそうな場合でも、枠組足場用手すり枠の高さを低くすることにより、天井の一部にぶつかるのを避けることができる。
【図面の簡単な説明】
【０００９】
【図１】第１の実施形態に係る枠組足場用手すり枠を示す図であり、（ａ）が正面図、（ｂ）が右側面図である。
【図２】第１の実施形態に係る枠組足場用手すり枠の固定枠を示す図であり、（ａ）が正面図、（ｂ）が平面図、（ｃ）が平面断面図である。
【図３】第１の実施形態に係る枠組足場用手すり枠の可動枠を示す正面図である。
【図４】固定金具を説明するための図であり、（ａ）が固定金具まわりの平面図、（ｂ）が固定金具の正面図である。
【図５】取付部を説明するための図であり、（ａ）が取付部の平面図、（ｂ）が取付部の右側面図、（ｃ）が楔を示す図である。
【図６】ロック機構を説明するための図であり、（ａ）が支柱に近い箇所に配置されたブラケットの正面一部断面図、（ｂ）が同ブラケットの右側面図である。
【図７】第２の実施形態に係る枠組足場用手すり枠を示す図であり、（ａ）が正面図、（ｂ）が固定金具の右側面図である。
【図８】枠組足場の例及び従来の枠組足場用手すり枠を示す斜視図である。
【発明を実施するための形態】
【００１０】
以下、添付図面を参照して、本発明の好適な実施形態について説明する。
（第１の実施形態）
図１に、第１の実施形態に係る枠組足場用手すり枠（以下、「先行手すり」と称する）を示す。なお、本願でいう上下左右及び前後は、図１（ａ）や図７（ａ）を正面としたときの方向をいうものとする。また、枠組足場については、図８に示したものを参照して説明する。
本実施形態に係る先行手すりは、枠組足場の建枠１００に取り外し可能に取り付けられる固定枠１と、固定枠１に対して上下にスライド可能とされた可動枠２とを備える。これら固定枠１及び可動枠２は、軽量化を図るべく、例えばアルミニウム及びアルミニウム合金製とする。
【００１１】
固定枠１は、図２にも示すように、左右一対の支柱３Ｌ、３Ｒと、一対の支柱３Ｌ、３Ｒ間に架設された上側の横桟４及び下側の横桟５とを有する。
支柱３Ｌ、３Ｒは、丸パイプ材からなり、上部に固定金具６Ｌ、６Ｒが、下部に取付部７Ｌ、７Ｒが設けられている。これら固定金具６Ｌ、６Ｒ及び取付部７Ｌ、７Ｒについては後述する。また、支柱３Ｌ、３Ｒの後面には、帯状の幅木８が設けられている。
横桟４、５は、角パイプ材からなり、一対の支柱３Ｌ、３Ｒの内側の面（相互に対向する面）に溶接接合される。
【００１２】
可動枠２は、図３にも示すように、丸パイプ材からなり、固定枠１の一対の支柱３Ｌ、３Ｒにそれぞれ挿通する左右一対の縦杆部９Ｌ、９Ｒと、一対の縦杆部９Ｌ、９Ｒの上端間をつなぐ上側横杆部１０と、一対の縦杆部９Ｌ、９Ｒの下端間をつなぐ下側横杆部１１とを有し、各コーナ部分が丸みを帯びた略矩形状の環状を呈する。可動枠２は、縦杆部９Ｌ、９Ｒの途中で上下に二分割されており、支柱３Ｌ、３Ｒに挿通させた状態で分割箇所を溶接接合することにより環状に構成される（接合箇所１２を参照）。
上側横杆部１０と下側横杆部１１との間には、補強材として４本の縦格子１３が架設される。縦格子１３は、角パイプ材からなり、固定枠１の横桟４、５との干渉を避けるために、上側横杆部１０及び下側横杆部１１の前面（図１（ａ）、図３の紙面手前側の面）に接合される。
【００１３】
固定金具６Ｌ、６Ｒは、建枠１００の横架材１０２に引っ掛けるようにして固定枠１を支持するためのものである。図４にも示すように、固定金具６Ｌ、６Ｒは、固定枠１の支柱３Ｌ、３Ｒに設けられて後方に延出するブラケット部１４と、ブラケット部１４から外側方に突出する板部１５とを備える。この板部１５の下部が湾曲形状をなし、該下部を横架材１０２に載せることにより、固定枠１を支持することができる。
ここで、左側の固定金具６Ｌの板部１５と、右側の固定金具６Ｒの板部１５との前後位置をずらしている。枠組足場が左右方向に組み立てられた状態では、先行手すりを左右に隣り合わせて設置することがある。この場合、左右に隣り合う先行手すりは、一の横架材１０２により支持される。すなわち、一の横架材１０２に、右側の先行手すりの左側の固定金具６Ｌ（図４（ａ）中に一点鎖線で示す固定金具６Ｌ）と、左側の先行手すりの右側の固定金具６Ｒとを載せる状況となる。そこで、左右に隣り合う先行手すりの固定金具６Ｌ、６Ｒが干渉しないように、左側の固定金具６Ｌの板部１５と、右側の固定金具６Ｒの板部１５との前後位置をずらしている。
【００１４】
取付部７Ｌ、７Ｒは、建枠１００の脚柱１０１に係止させるようにして固定枠１を支持するためのものである。図５にも示すように、取付部７Ｌ、７Ｒは、固定枠１の支柱３Ｌ、３Ｒに設けられて外側方から後方に向けて延出するブラケット部１６と、ブラケット部１６の先端に形成され、上下で開口する横断面略Ｕ字型の凹部１７とを備える。凹部１７の左右の側面には、楔１８を挿入するための開口１９が形成されている。凹部１７内に脚柱１０１を配置し、開口１９から楔１８を差し入れて打ち込むことにより、取付部７Ｌ、７Ｒと脚柱１０１とを圧接させて、固定枠１を固定することができる。
ここで、左側の取付部７Ｌと、右側の取付部７Ｒとの高さ位置をずらしている。固定金具６Ｌ、６Ｒと同様に、先行手すりを左右に隣り合わせて設置する場合、一の脚柱１０１に、右側の先行手すりの左側の取付部７Ｌと、左側の先行手すりの右側の取付部７Ｒとを係止させる状況となる。そこで、左右に隣り合う先行手すりの取付部７Ｌ、７Ｒが干渉しないように、左側の取付部７Ｌと、右側の取付部７Ｒとの高さ位置をずらしている。
【００１５】
また、本実施形態に係る先行手すりは、可動枠２を複数の高さ位置でロックすることができるロック機構を備える。固定枠１の上側の横桟４の下面に沿って左右一対のバー２０Ｌ、２０Ｒが配置される。バー２０Ｌ、２０Ｒは、横桟４の中央付近に配置されたブラケット２１と、支柱３Ｌ、３Ｒに近い箇所に配置されたブラケット２２とよりスライド可能に支持される。図６に示すように、ブラケット２２内ではバー２０Ｌ、２０Ｒの周囲にスプリング２３が組み込まれており、スプリング２３がバー２０Ｌ、２０Ｒに係合して、バー２０Ｌ、２０Ｒを支柱３Ｌ、３Ｒ方向に付勢する。
固定枠１の支柱３Ｌ、３Ｒには、バー２０Ｌ、２０Ｒの一端（支柱３Ｌ、３Ｒ側の端部）が挿通する穴が形成されている。また、可動枠２の縦杆部９Ｌ、９Ｒにも複数の高さ位置に穴が形成されている。支柱３Ｌ、３Ｒの穴と縦杆部９Ｌ、９Ｒのいずれかの穴とが一致した状態でバー２０Ｌ、２０Ｒの一端が挿入することにより、可動枠２のスライドを規制するロック状態とすることができる。
バー２０Ｌ、２０Ｒの他端（横桟４の中央付近の端部）には、後方に向けて、すなわち足場板２００に立つ作業者に向けて曲げ部２４が形成されている。作業者は、両バー２０Ｌ、２０Ｒの曲げ部２４を片手で掴んで握ることにより、スプリング２３の付勢力に抗してバー２０Ｌ、２０Ｒをスライドさせて、ロックを解除することができる。このように作業者は一方の手で先行手すりを支持しつつ、他方の手でロックの解除操作を行うことができる。そして、バー２０Ｌ、２０Ｒを掴んでいた手を離せば、スプリング２３の付勢力によりバー２０Ｌ、２０Ｒが支柱３Ｌ、３Ｒ方向にスライドして、ロック状態とすることができる。
【００１６】
以上述べたように、枠組足場の建枠１００に取り外し可能に取り付けられる固定枠１と、固定枠１に対して上下にスライド可能とされた可動枠２とを備えるので、枠組足場に取り付けられた枠組足場用手すり枠の高さを変えることができる。これにより、先行手すりが取り付けられた枠組足場を移動させるときに、例えば天井の一部に先行手すりがぶつかりそうな場合でも、可動枠２の高さ位置を低くすることにより、天井の一部にぶつかるのを避けて枠組足場を移動させることができる。
【００１７】
（第２の実施形態）
第１の実施形態では平側用の先行手すりを説明したが、第２の実施形態では妻側用の先行手すりを説明する。図７に、第２の実施形態に係る先行手すりを示す。先行手すりとしての基本的な構成は第１の実施形態と同様であり、以下では、第１の実施形態との相違を中心に説明し、同様の構成要素には第１の実施形態と同一の符号を付して、その説明を省略する。
妻用の先行手すりであるので、第１の実施形態に係る先行手すりに比べて左右幅が狭く、上側横杆部１０と下側横杆部１１との間に架設される縦格子１３の本数も２本となっている。
【００１８】
また、妻側用の先行手すりの場合、該先行手すりの背面側において建枠１００の横架材１０２が左右に延伸することになる。そこで、第２の実施形態では、固定金具６Ｌ、６Ｒが、第１の実施形態のように支柱３Ｌ、３Ｒでなく、固定枠１の上側の横桟４に設けられている。固定金具６Ｌ、６Ｒは、上側の横桟４に設けられて後方に延出するブラケット部２５と、ブラケット部２５の先端に形成された下向きの円弧状溝部２６とを備え、この円弧状溝部２６を横架材１０２に載せることにより、固定枠１を支持することができる。
【００１９】
また、第２の実施形態では、バー２０Ｌ、２０Ｒの曲げ部２４が、第１の実施形態のように後方ではなく、下方に向けて形成されている。この場合も、作業者は、両バー２０Ｌ、２０Ｒの曲げ部２４を片手で掴んで握ることにより、スプリング２３の付勢力に抗してバー２０Ｌ、２０Ｒをスライドさせて、ロックを解除することができる。
【００２０】
ところで、枠組足場の寸法は、インチサイズとメーターサイズに二分されているのが実情である。例えば建枠１００の幅（一対の脚柱１０１、１０１間の寸法）にもインチサイズとメーターサイズとがあり、一見して同サイズのようでも、数ｃｍ程度の寸法差がある。
第２の実施形態では、取付部７Ｌ、７Ｒの凹部１７の左右開口幅ｈを、脚柱１０１の直径に比べて広くしている。これにより、建枠１００の幅の数ｃｍ程度の寸法差を吸収して、インチサイズとメーターサイズの両方に対応することが可能となる。なお、楔１８により取付部７Ｌ、７Ｒと脚柱１０１とを圧接させるので、通常作用する程度の力であれば、先行手すりが横ずれしてしまうこともない。
なお、インチサイズとメーターサイズの違いだけでなく、脚柱１０１の太さについても建枠１００によって差があることがある。脚柱１０１の太さについても、取付部７Ｌ、７Ｒの凹部１７内に配置できる範囲であれば、複数の太さに対応することが可能となる。
このような構成は、第１の実施形態に係る先行手すりに適用してもかまわない。
【００２１】
以上、本発明を種々の実施形態と共に説明したが、本発明はこれらの実施形態にのみ限定されるものではなく、本発明の範囲内で変更等が可能である。
例えば固定金具６Ｌ、６Ｒや取付部７Ｌ、７Ｒの構造は一例に過ぎず、限定されるものではない。上記実施形態では取付部７Ｌ、７Ｒにおいて楔１８を打ち込む構成としたが、例えばネジ等を用いて取付部７Ｌ、７Ｒを脚柱１０１に係止させるような構成でもよい。
【符号の説明】
【００２２】
１：固定枠、２：可動枠、３Ｌ、３Ｒ：支柱、４：上側の横桟、５：下側の横桟、６Ｌ、６Ｒ：固定金具、７Ｌ、７Ｒ：取付部、９Ｌ、９Ｒ：縦杆部、１０：上側横杆部、１１：下側横杆部、１２：溶接箇所、１３：縦格子、２０Ｌ、２０Ｒ：バー、２１：ブラケット、２２：ブラケット、２３：スプリング、２４：曲げ部
【図１】
2014224392.tif 000003
【図２】
2014224392.tif 000004
【図３】
2014224392.tif 000005
【図４】
2014224392.tif 000006
【図５】
2014224392.tif 000007
【図６】
2014224392.tif 000008
【図７】
2014224392.tif 000009
【図８】
2014224392.tif 000010